(57)【要約】【課題】工期および工事費の増大を招来することなくコンクリート二次製品の目地部の水密性を向上させる。【解決手段】コンクリート二次製品１０の外周側に設けられる第１のパッキン１２と、その内周側に設けられる第２のパッキン１４とによって二重パッキン構造を構成し、第１のパッキン１２の外周側に目地材１６を塗布する外水対応目地構造と、第２のパッキン１４の内周側に目地材１８を塗布する内水対応目地構造とを選択的もしくは併用的に適用する。【選択図】図６
2018131822.tif 000002
【特許請求の範囲】
【請求項１】
コンクリート二次製品の目地部における水密構造であって、
コンクリート二次製品の外周側に設けられる第１のパッキンと、その内周側に設けられる第２のパッキンとによって二重パッキン構造を構成し、
前記第１のパッキンの外周側に目地材を塗布する外水対応目地構造と、前記第２のパッキンの内周側に目地材を塗布する内水対応目地構造とを選択的もしくは併用的に適用する、
水密構造。
【請求項２】
前記目地材が、前記第１のパッキンの外周側の側面および前記第２のパッキンの内周側の側面のうち少なくとも何れかの側面を完全に被覆する、
請求項１に記載の水密構造。
【請求項３】
請求項１に記載の水密構造を用いるコンクリート二次製品の水密施工方法であって、
コンクリート二次製品の用途に応じて、  前記第１のパッキンの外周側に目地材を塗布する外水対応目地構造と、前記第２のパッキンの内周側に目地材を塗布する内水対応目地構造とを選択的もしくは併用的に施工する工程と、
前記目地材が施工されたコンクリート二次製品を他のコンクリート二次製品と接合する工程とを含む、
水密施工方法。
【発明の詳細な説明】
【技術分野】
【０００１】
本発明は、ボックスカルバート等のコンクリート二次製品の目地部における水密性を向上させる水密構造、およびその施工方法に関する。
【背景技術】
【０００２】
コンクリート構造物は一般に次の二つの工法によって製作される。一つは、作業現場に設置した型枠にコンクリートを打設して成形し、その後の養生を経て構造物を完成させる工法であり、場所打ち（現場打ち）工法と呼ばれている。これに対し、工場等の施設において規格化されたコンクリート製品（コンクリート二次製品）を製作し、これを作業現場に運搬して設置を行うことで構造物を完成させる工法があり、プレキャスト工法と呼ばれている。プレキャスト工法は、場所打ち工法が天候や作業員の技量に影響を受けやすく、コンクリートの品質や強度が安定し難いのに対して、工場内の理想的な環境で品質管理、工程管理を行うことができるため、高品質で高強度なコンクリート二次製品を製作することができるという利点がある。大規模なコンクリート構造物の場合、複数の部位に分割して製作し、作業現場においてプレストレスを与えながら接続するプレキャストセグメント工法と呼ばれる工法が採用される。プレキャストセグメント工法を採用してコンクリート構造物を施工する際にはセグメント同士の目地部における水密性の確保に留意しなければならない。例えばコンクリート二次製品の一種であるボックスカルバートは地中に暗渠を設けるためのコンクリート構造物であるが、目地部にはボックスカルバートの内側からの漏水防止に関する内水対策（止水対策）、外側からの浸水防止に関する外水対策（防水対策）等の水密処理を施す必要がある。
【０００３】
従来、コンクリート二次製品の止水および防水対策に関しては、目地部に樹脂製のパッキンを装着することで水密性を高める手法が用いられている。またパッキンを二重に施工することでより水密性を高めることも行われている（例えば、特許文献１乃至３を参照。）。特許文献１は、溝の両側にパッキンを装着し、溝に防水材を充填する技術を開示している。防水材の充填状況は、溝と連通する防水材管理孔から確認する。特許文献２は、外周側に設けられる第一パッキン材と内周側に設けられる第二パッキン材との間に形成される接着面領域に接着剤を充填する技術を開示している。接着面領域に接着剤を圧入するための圧入孔と接着面領域内の空気を排出するための排出孔を形成し、接着面領域に迅速かつ確実に接着材が充填されるようにしている。特許文献３は、外周側にはＵ字型の第１パッキン材を装着し、内周側にはボックスカルバートの周縁を周回する第２パッキン材を装着して、両パッキン材の間にＵ字型の接着面領域を形成し、接着面領域の一方の端部から接着材を注入し、他方の端部に至るまで接着材を圧入する技術を開示している。
【０００４】
特許文献１乃至３に開示されている技術は、何れもボックスカルバート等のコンクリート二次製品の目地部を接合させた状態に設置した後に二重パッキンの間に接着材を充填する工法を採用しているため、製品自体に圧入用の孔を形成したり、もしくはＵ字型のような特殊なパッキンを装着しなければならない。また施工状況を目視できない箇所における充填作業となるため、施工に際しては十分な施工管理が必要となり、さらには微小な孔からの充填作業となるため、特殊機械や建具等が必要となることから、工期および工事費の増大につながる。
【先行技術文献】
【特許文献】
【０００５】
【特許文献１】特許第２９１１０９５号公報
【特許文献２】特許第４３６２４９５号公報
【特許文献３】特許第４８０５３２５号公報
【発明の概要】
【発明が解決しようとする課題】
【０００６】
本発明は、前述した従来技術と比較して施工管理が容易であり、工期および工事費の増大を招来することなくコンクリート二次製品の目地部の水密性を向上させる手段を提供することを目的とする。
【課題を解決するための手段】
【０００７】
本発明は、前述の課題を解決することを目的として創作されたものであり、以下に示す解決手段を提供する。
【０００８】
本発明の第１の態様は、コンクリート二次製品の目地部における水密構造であって、コンクリート二次製品の外周側に設けられる第１のパッキンと、その内周側に設けられる第２のパッキンとによって二重パッキン構造を構成し、前記第１のパッキンの外周側に目地材を塗布する外水対応目地構造と、前記第２のパッキンの内周側に目地材を塗布する内水対応目地構造とを選択的もしくは併用的に適用する水密構造である。
【０００９】
目地材としては、シーリング材やコーキング材、その他、目地部における充填や被覆等に使用される材料を適用することができる。
【００１０】
さらに前記目地材が、前記第１のパッキンの外周側の側面および前記第２のパッキンの内周側の側面のうち少なくとも何れかの側面を完全に被覆するように構成してもよい。
【００１１】
本発明の第２の態様は、第１の態様の水密構造を用いるコンクリート二次製品の水密施工方法であって、コンクリート二次製品の用途に応じて、前記第１のパッキンの外周側に目地材を塗布する外水対応目地構造と、前記第２のパッキンの内周側に目地材を塗布する内水対応目地構造とを選択的もしくは併用的に施工する工程と、前記目地材が施工されたコンクリート二次製品を他のコンクリート二次製品と接合する工程とを含む、水密施工方法である。
【発明の効果】
【００１２】
本発明によれば、コンクリート二次製品の接合の前段階で二重パッキン構造の外周側もしくは内周側に目地材を塗布するため、施工管理が容易であり、目地材の充填に用いる特殊機械や建具等も不要となる。さらに、目地材にはパッキンが外気や水と直接的に接触することを遮断する機能もあるため、パッキンの経時的劣化による水密性の低下を未然に防止することが可能になる。
【図面の簡単な説明】
【００１３】
【図１】ボックスカルバートの目地部の二重パッキン構造を示す模式図
【図２】外水対応目地構造を示す模式図
【図３】外水対応目地構造を示す模式図（一部拡大断面図）
【図４】内水対応目地構造を示す模式図
【図５】内水対応目地構造を示す模式図（一部拡大断面図）
【図６】外水対応目地構造および内水対応目地構造の併用を示す模式図
【図７】外水対応目地構造および内水対応目地構造の併用を示す模式図（一部拡大断面図）
【発明を実施するための形態】
【００１４】
本発明を実施するための形態について、添付した図面を参照しながら説明する。なお、以下の説明において、ボックスカルバートを挙例しているが、本発明は、目地部の水密処理にパッキンを使用するコンクリート二次製品であればボックスカルバート以外の対象物にも適用が可能である。
【００１５】
最初に、ボックスカルバートの目地部における水密構造について説明する。図１は、ボックスカルバート１０の目地部に二重パッキンを施した例を示している。二重パッキンは、外周側の第１のパッキン１２と内周側の第２のパッキン１４とで構成されている。第１のパッキン１２と第２のパッキン１４は、工場出荷時もしくは施工現場においてボックスカルバート１０の所定の位置（通常は、パッキンを装着するための溝が目地部の表面に設けられている。）に装着されている。従来は、第１のパッキン１２と第２のパッキン１４との間に接着剤や目地材などを充填することで水密性を向上させていたが、本発明の水密構造では、内水対策と外水対策に分けて目地材の施工箇所を適宜選択できるようにしている。
【００１６】
図２および図３は、目地部に外水対策を施した場合の目地構造（外水対応目地構造）を模式的に示した図である。目地部の外側から内側への浸水防止を目的とする水密構造としては外水対応目地構造を選択する。外水対応目地構造では、第１のパッキン１２の外周側に目地材１６が施工される。目地材１６は第１のパッキン１２の外周側の側面を完全に被覆するように施工することが望ましい。目地材１６としては、変成シリコン系やポリウレタン系を用いることができるが、これ以外のものであっても適用が可能である。特に弾性エポキシ系（変成シリコン系の一種）は耐候性が高く、長期にわたっての所期の性能を維持することができる。一方、ポリウレタン系には弾性エポキシ系に比べて安価であるという利点がある。コンクリート構造物の施工場所における水環境（例えば、地下水の有無など。）や要求される水密性能などに応じて、これら以外の目地材も含めて選択的に適用することができる。
【００１７】
図４および図５は、目地部に内水対策を施した場合の目地構造（内水対応目地構造）を模式的に示した図である。目地部の内側から外側への漏水防止を目的とする水密構造としては内水対応目地構造を選択する。内水対応目地構造では、第２のパッキン１４の内周側に目地材１８が施工される。目地材１８は第２のパッキン１４の内周側の側面を完全に被覆するように施工することが望ましい。内水対応目地構造において使用する目地材１８は外水対応目地構造において使用する目地材１６と同等のものを使用することができる。
【００１８】
図６および図７は、目地部に外水対策と内水対策とを同時に施した場合の目地構造を模式的に示した図である。目地部の外側から内側への浸水防止と内側から外側への漏水防止を同時に達成したい場合は、外水対応目地構造と内水対応目地構造を併用する。ここでは第１のパッキン１２の外周側に目地材１６が施工され、第２のパッキン１４の内周側に目地材１８が施工される。
【００１９】
第１のパッキン１２および第２のパッキン１４によって構成される二重パッキン構造の外側に目地材１６、１８を施工することにより、パッキンが外気や水と直接的に接触することを遮断する効果が期待できる。また、第１のパッキン１２および第２のパッキン１４には、柔軟性の高いスポンジ状の弾性体の周囲を比較的硬質のブチルゴムで覆った二重構造のものが多用されるが、負荷による過度の変形や経年劣化によりブチルゴムに生じる亀裂や、ブチルゴムとコンクリートとの接着面に生じる隙間から水が通過し、漏水や浸水が発生することがある。目地材１６、１８を第１のパッキン１２および第２のパッキン１４の側面に施工することにより、亀裂からの水の通過を遮断し、漏水または浸水を未然に防止する効果も期待できる。
【００２０】
続いて、ボックスカルバートの目地部における水密施工方法について説明する。従来の二重パッキン構造の内側に目地材等を充填する工法では、ボックスカルバートの目地部を接合した後に目地材を施工していた。そのため、狭い空間内に目地材を圧入するための特殊機械や建具等が必要であり、また施工に際しては十分な施工管理が必要であった。これに対して、本発明の水密施工方法は、目地部の接合の前行程として目地材１６、１８を塗布し、その後に接合を行う。このような施工方法を採用することにより、目地材１６、１８の施工箇所の目視による確認が可能になるため、従来の空洞部への圧入による施工に比べると施工管理が容易になり、施工精度も向上することから、確実に水密構造を得ることができるようになる。また、特殊機械等を必要としない施工が可能になるため、工期や工事費の削減も期待できる。
【符号の説明】
【００２１】
１０  ボックスカルバート
１２  第１のパッキン（外周側）
１４  第２のパッキン（内周側）
１６  目地材（外周側）
１８  目地材（内周側）
【図１】
2018131822.tif 000003
【図２】
2018131822.tif 000004
【図３】
2018131822.tif 000005
【図４】
2018131822.tif 000006
【図５】
2018131822.tif 000007
【図６】
2018131822.tif 000008
【図７】
2018131822.tif 000009